(57)【要約】【課題】人物を撮影した映像として従来よりも自然な映像を所定の記録媒体に記録することのできるビデオカメラ、ビデオカメラの記録方法及び記録プログラムを提供する。【解決手段】ハードディスク４２、ブルーレイディスク４３、ＳＤカード４４、外部のストレージ装置Ａに映像データを記録可能なビデオカメラ１において、映像データから所定の人物を検出する検出部と、所定の前記記録媒体に、前記所定の人物が検出された時点の所定時間前における前記映像情報から、一つながりの動画として記録を開始する記録処理Ｓ２００とを備える。【選択図】図１
2010021607.tif 000002
【特許請求の範囲】
【請求項１】
複数の記録媒体に映像情報を記録可能なビデオカメラにおいて、
前記映像情報から所定の人物を検出する検出部と、
所定の前記記録媒体に、前記所定の人物が検出された時点の所定時間前における前記映像情報から、一つながりの動画として記録を開始する記録部とを備える
ことを特徴とするビデオカメラ。
【請求項２】
前記記録部は、前記所定の人物が検出されたときから経過した時間に基づいて、前記動画の記録を終了する
ことを特徴とする請求項１に記載のビデオカメラ。
【請求項３】
前記記録部は、前記映像情報とともに集音された音声情報に基づいて、前記動画の記録を終了する
ことを特徴とする請求項１に記載のビデオカメラ。
【請求項４】
前記所定の記録媒体が光ディスクのときに、前記所定時間として、前記所定の人物が検出されたときから前記光ディスクに前記映像情報を記録可能になるまでの時間以上の時間を設定する
ことを特徴とする請求項１に記載のビデオカメラ。
【請求項５】
前記複数の記録媒体の中から前記所定の記録媒体を指定する指定部を備える
ことを特徴とする請求項１に記載のビデオカメラ。
【請求項６】
前記所定の人物を、複数の前記映像情報に基づいて登録する登録部を備える
ことを特徴とする請求項１に記載のビデオカメラ。
【請求項７】
複数の記録媒体に映像情報を記録可能なビデオカメラの記録方法において、
前記映像情報から所定の人物を検出する検出ステップと、
所定の前記記録媒体に、前記所定の人物が検出された時点の所定時間前における前記映像情報から、一つながりの動画として記録を開始する記録ステップとを備える
ことを特徴とするビデオカメラの記録方法。
【請求項８】
前記記録ステップは、前記所定の人物が検出されたときから経過した時間に基づいて、前記動画の記録を終了するステップをさらに含む
ことを特徴とする請求項７に記載のビデオカメラの記録方法。
【請求項９】
前記記録ステップは、前記映像情報とともに集音された音声情報に基づいて、前記動画の記録を終了するステップをさらに含む
ことを特徴とする請求項７に記載のビデオカメラの記録方法。
【請求項１０】
前記所定の記録媒体が光ディスクのときに、前記所定時間として、前記所定の人物が検出されたときから前記光ディスクに前記映像情報を記録可能になるまでの時間以上の時間を設定する
ことを特徴とする請求項７に記載のビデオカメラの記録方法。
【請求項１１】
前記検出部は、前記複数の記録媒体の中から前記所定の記録媒体を指定するステップをさらに含む
ことを特徴とする請求項７に記載のビデオカメラの記録方法。
【請求項１２】
前記検出部は、前記映像情報から前記所定の人物を検出する前に、該所定の人物を、複数の前記映像情報に基づいて登録するステップをさらに含む
ことを特徴とする請求項７に記載のビデオカメラの記録方法。
【請求項１３】
複数の記録媒体に映像情報を記録可能なビデオカメラの記録プログラムにおいて、
請求項７に記載の各ステップを備える
ことを特徴とするビデオカメラの記録プログラム。
【発明の詳細な説明】
【技術分野】
【０００１】
本発明は、複数の記録媒体に映像情報を記録可能なビデオカメラ、ビデオカメラの記録方法及び記録プログラムに関するものである。
【背景技術】
【０００２】
従来、この種のビデオカメラとして、複数の記録媒体間でデータを転送する際、転送元の記録媒体に記録されているデータを、当該データとは異なるフォルダ又はファイル名称を付して転送先に転送して記録することにより転送先の記録媒体に既に記録されているデータの誤消去を防止するようにしたものが知られている（例えば、特許文献１参照）。
【特許文献１】特開２００６−４２１１５号公報
【発明の開示】
【発明が解決しようとする課題】
【０００３】
ところで、ビデオカメラで撮影し、一の記録媒体、例えばハードディスクに記録された映像データの中から特定の人物が映っている映像を抜き出し、他の記録媒体、例えばＤＶＤに記録して当該人物に渡すような使い方が考えられる。かかる場合には、利用者が、ハードディスクに記録された映像データを見て記録するか否かを判断する編集作業と、編集された映像をＤＶＤに記録する複製作業とを行わなければならず、非常に煩雑であるという問題点があった。また、人物が映っている映像のみを自動的にＤＶＤに記録させるようにすると、いきなり人物が映る映像から記録されたり、人物がフレームインとフレームアウトを繰り返すときに不連続な映像が記録されたりするなど、人物を撮影した映像として不自然な映像が記録されるという問題点であった。
【０００４】
本発明は前述の問題点に鑑みてなされたものであり、人物を撮影した映像として従来よりも自然な映像を所定の記録媒体に記録することのできるビデオカメラ、ビデオカメラの記録方法及び記録プログラムを提供することを目的の１つとする。
【課題を解決するための手段】
【０００５】
本発明は前述の目的を達成するために、複数の記録媒体に映像情報を記録可能なビデオカメラにおいて、前記映像情報から所定の人物を検出する検出部と、所定の前記記録媒体に、前記所定の人物が検出された時点の所定時間前における前記映像情報から、一つながりの動画として記録を開始する記録部とを備えるビデオカメラを提案する。
【０００６】
このビデオカメラによれば、所定の人物が検出された時点の所定時間における映像情報から、一つながりの動画として記録が開始されるので、従来のように編集作業を行うことなく、所定の人物が映る前の映像から一つながりの動画として記録することができる。また、所定の記録媒体に記録されるので、従来のように複製作業を行うことなく、全ての映像情報が記録される記録媒体とは異なる記録媒体に、所定の人物が含まれる映像を記録することができる。
【０００７】
また、本発明は前述の目的を達成するために、複数の記録媒体に映像情報を記録可能なビデオカメラの記録方法において、前記映像情報から所定の人物を検出する検出ステップと、所定の前記記録媒体に、前記所定の人物が検出された時点の所定時間前における前記映像情報から、一つながりの動画として記録を開始する記録ステップとを備えるビデオカメラの記録方法を提案する。
【０００８】
このビデオカメラの記録方法によれば、所定の人物が検出された時点の所定時間における映像情報から、一つながりの動画として記録が開始されるので、従来のように編集作業を行うことなく、所定の人物が映る前の映像から一つながりの動画として記録することができる。また、所定の記録媒体に記録されるので、従来のように複製作業を行うことなく、全ての映像情報が記録される記録媒体とは異なる記録媒体に、所定の人物が含まれる映像を記録することができる。
【発明の効果】
【０００９】
本発明によれば、従来のように編集作業を行うことなく、所定の人物が映る前の映像情報から一つながりの動画として記録することができる。これにより、いきなり人物が映る映像から記録されたり、不連続な映像が記録されたりせずに、人物が映る映像として従来よりも自然な映像を記録することができる。また、所定の記録媒体に記録されるので、従来のように複製作業を行うことなく、全ての映像情報が記録される記録媒体とは異なる記録媒体に、所定の人物が含まれる映像を記録することができる。これにより、所定の人物が映る映像を記録した記録媒体を、撮影後すぐに作成することができ、すぐに譲渡することができるなど、利便性を高めることできる。
【発明を実施するための最良の形態】
【００１０】
以下、図面を参照しながら本発明の一実施の形態を詳述する。
【００１１】
まず、図１を用いて本発明に係るビデオカメラの構成を説明する。図１は、本発明に係るビデオカメラの全体構成を説明するブロック図である。
【００１２】
ビデオカメラ１は、複数の記憶媒体に映像データ及び音声データを記録可能なものである。ビデオカメラ１は、撮影部１０、出力部２０、制御部３０及び外部記録部４０を備え、内部バス５０を介して互いに接続されている。
【００１３】
撮影部１０は、映像を撮影したり、音声を集音したりするためのものである。撮影部１０は、レンズユニット１１、撮像センサ１２、映像入力回路１３、マイク１４及び音声入力回路１５を備えている。
【００１４】
ビデオカメラ１が撮影する映像は、映像入力回路１３に駆動されるレンズユニット１１を介してＣＭＯＳ（Complementary MOS）やＣＣＤ（Charge Coupled Device）などから構成される撮像センサ１２上に合焦され、電気信号に変換される。変換された電気信号は、ＬＳＩ（Large Scale Integration circuit）などから構成される映像入力回路１３によって、映像信号に変換され、さらにＡＤ（Analog to Digital）変換されて映像データが生成される。映像入力回路１３に生成された映像データは、内部バス５０を介して後述のメインバッファ３２に出力される。
【００１５】
ビデオカメラ１が集音する音声は、マイク１４によって電気信号に変換され、変換された電気信号は、音声入力回路１５によって、音声信号に変換され、さらにＡＤ変換されて音声データが生成される。映像入力回路１３に生成された音声データは、内部バス５０を介して後述のメインバッファ３２に出力される。
【００１６】
なお、ビデオカメラ１の外部から映像信号及び／又は音声信号を入力可能な外部入力端子を備え、入力された音声信号及び／又は映像信号を映像入力回路１３及び／又は音声入力回路１５を介して映像データ及び／又は音声データに変換し、内部バス５０を介して後述のメインバッファ３２に出力するようにしてもよい。
【００１７】
出力部２０は、撮影部１０から入力された映像データ及び音声データ（以下、２つのデータを合わせて特に撮影データという）を出力するためのものである。出力部２０は、映像出力回路２１、モニタ２２、音声出力回路２３、スピーカ２４、及び外部入出力端子２５を備えている。
【００１８】
映像入力回路１３から入力された映像データは、映像出力回路２１を介してＬＣＤ（Liquid Crystal Display）などから構成されるモニタ２２に映像として表示される。音声入力回路１５から入力された音声データは、音声出力回路２３を介してスピーカ２４から音声として出力される。
【００１９】
また、撮影部１０から入力された撮影データは、ＨＤＭＩ（High Definition Multimedia Interface）端子などから構成される外部入出力端子２５を介し、接続される外部の機器に出力することも可能である。本実施形態では、外部入出力端子２５に接続された外部の機器に撮影データを出力するようにしたが、これに限定されず、外部入出力端子２５に接続された外部の機器から撮影データを入力するようにしてもよい。
【００２０】
制御部３０は、ユーザインタフェース３１、メインバッファ３２、サブバッファ３３、顔認識処理回路３４、内蔵記憶装置３５、圧縮／伸張処理回路３６及びメインコントローラ３７を備えている。
【００２１】
ユーザインタフェース３１は、操作ボタンやタッチパネルなどから構成され、ビデオカメラ１の利用者によって操作されたときに、操作内容に応じた操作データを内部バス５０を介してメインコントローラ３７に出力する。
【００２２】
メインバッファ３２及びサブバッファ３３は、ＳＤＲＡＭ（Synchronous Dynamic RAM）などから構成されるバッファメモリである。メインバッファ３２は、後述のブルーレイディスク４３などの光ディスクにデータを記録する際に一定量ずつデータを記録する、いわゆる間欠記録をするためのものである。撮影部１０から入力された撮影データは、後述の記録処理Ｓ２００の実行の有無にかかわらず、メインバッファ３２に一時的に蓄積（記憶）される。
【００２３】
顔認識処理回路３４は、ＣＰＵ（Central Processing Unit）などから構成され、メインコントローラ３７と連携して動作し、メインバッファ３２に蓄積（記憶）された映像データを読み込んで当該映像データに含まれる人物の顔を検出する。また、顔認識処理回路３４は、検出した顔の特徴量として、例えば当該顔における髪・目・鼻・口・輪郭の位置・形状・色などを抽出し、顔の特徴量、顔画像、検出日時などから構成される人物データを、内部バス５０を介して内蔵記憶部３５に出力する。さらに、顔認識処理回路３４は、映像データから人物の顔を検出すると、顔検出を示す検出データを内部バス５０を介してメインコントローラ３７に出力する。なお、映像データに含まれる人物が複数の場合、顔認識処理回路３４は、それぞれの人物について、顔を検出して人物データを出力する。また、人物データの顔画像としては、サムネイルなどのデータ容量の少ないものが好ましい。
【００２４】
内蔵記憶部３５は、フラッシュメモリなどから構成され、顔認識処理回路３４から入力される人物データが書き込まれる検出人物ファイルと、メインコントローラ３７によって後述の登録処理Ｓ１００で書き込まれる登録人物ファイルとを記憶する。
【００２５】
圧縮／伸張処理回路３６は、メインコントローラ３７の制御に基づいて、入力される撮影データを圧縮し、圧縮した撮影データを内部バス５０を介して後述の記録媒体部４０に出力する。なお、圧縮／伸張処理の方式として、例えばＭＰＥＧ（Moving Picture Experts Group）などが用いられる。本実施形態では、撮影データを圧縮／伸張処理回路３６で圧縮してから記録媒体部４０に出力するようにしたが、これに限定されず、圧縮せずに記録媒体部４０に出力するようにしてもよい。
【００２６】
メインコントローラ３７は、ＣＰＵなどから構成され、ビデオカメラ１全体を制御するためのものである。本実施形態では、メインコントローラ３７は、特に、利用者の操作をトリガとして後述の登録処理Ｓ１００及び記録処理Ｓ２００を実行する。
【００２７】
記録媒体部４０は、圧縮された撮影データを記録媒体に記録するためのものであり、記録媒体インターフェース４１、ハードディスク４２、ブルーレイディスク４３、ＳＤカード４４及び通信インターフェース４５を備えている。
【００２８】
圧縮／伸張処理回路３６から入力される圧縮された撮影データは、ハードディスクドライブやブルーレイディスクドライブなどから構成される記録媒体インターフェース４１を介し、ハードディスク４２、ブルーレイディスク４３及びＳＤカード４４などの記録媒体に送信され、記録される。あるいは、ネットワークカードなどから構成される通信インターフェース４５によってＬＡＮ（Local Area Network）などの外部ネットワークＮを介してストレージ装置Ａに送信され、ストレージ装置Ａの記録媒体に記録される。なお、外部ネットワークＮを介して接続されるストレージ装置Ａとの通信手段は、有線であっても無線であってもよい。
【００２９】
本実施形態では、記録媒体としてハードディスク４２、ブルーレイディスク４３及びＳＤカード４４と、ストレージ装置Ａの記録媒体とに、撮影データを記録可能にしたが、これに限定されず、例えば内蔵記憶部３５に記録するようにしてもよいし、外部入出力端子２５を介して接続される記録媒体に記録するようにしてもよい。
【００３０】
次に、図２乃至図５を参照して人物の登録に係る動作について説明する。
【００３１】
図２は、登録処理を説明するフローチャートである。利用者によってユーザインタフェース３１が操作され、人物の登録を示す操作データ及び撮影日時の範囲を示す撮影日時データがユーザインタフェース３１からメインコントローラ３７に入力されると、メインコントローラ３７は、所定の人物の撮影データを所定の記録媒体に記録するために当該人物を登録する登録処理Ｓ１００を実行する。
【００３２】
すなわち、メインコントローラ３７は、入力された撮影日時データに基づいて内蔵記憶部３５に記憶される検出人物ファイルを検索し、当該日時の範囲内に検出日時が含まれる人物データを読み込む（Ｓ１０１）。次に、メインコントローラ３７は、読み込んだ人物データにおける顔の特徴量に基づいて人物を識別し、他の人物と異なる人物と判定された人物データの顔画像を映像出力回路２１に出力し、検出人物一覧画面Ｇ０１をモニタ２２に表示する（Ｓ１０２）。
【００３３】
図３は、検出人物一覧画面を説明するイメージ図である。図３に示すように、Ｓ１０２の処理の結果、通常は検出人物一覧画面Ｇ０１に複数の異なる人物の顔画像が表示される。ここで、読み込んだ人物データに同一人物の人物データが複数存在しても、この時点では当該人物の顔画像は１つだけ表示される。
【００３４】
次に、利用者がユーザインタフェース３１を操作してモニタ２２に表示された複数の人物の顔画像の１つ、例えば図３に示すように左上の人物の顔画像が選択されると、選択された顔画像の人物を示すデータがユーザインタフェース３１からメインコントローラ３７に入力され、メインコントローラ３７は、当該人物の人物データにおける顔の特徴量に基づいて、Ｓ１０１の処理で読み込んだ人物データの中から同一人物と判定される人物データの全てを選択し、選択された人物データの全ての顔画像を映像出力回路２１に出力し、顔画像一覧画面Ｇ０２をモニタ２２に表示する（Ｓ１０３）。
【００３５】
図４は、顔画像一覧画面を説明するイメージ図である。図４に示すように、Ｓ１０３の処理の結果、通常は顔画像一覧画面Ｇ０２に同一人物の顔画像が複数表示される。利用者は、モニタ２２に表示された顔画像のうち登録したい人物と同一人物と判定した顔画像を少なくとも１つ選択することが可能である。通常は表示された全ての顔画像が選択される。
【００３６】
次に、利用者がユーザインタフェース３１を操作してモニタ２２に表示された複数の顔画像、例えば図４に示すように全ての顔画像を選択すると、メインコントローラ３７は、ビデオカメラ１が記録可能な複数の記録媒体のうち、後述の記録処理Ｓ２００で記録中の全ての撮影データを記録する記録媒体としてあらかじめ設定される記憶媒体（以下、設定記録媒体という）を除く記録媒体の名称データを、映像出力回路２１に出力し、記録媒体指定画面Ｇ０３をモニタ２２に表示する（Ｓ１０４）。
【００３７】
図５は、記録媒体指定画面を説明するイメージ図である。図５に示すように、Ｓ１０４の処理の結果、通常は記録媒体指定画面Ｇ０３に記録媒体の名称が複数表示される。利用者は、モニタ２２に表示された複数の記録媒体のうち登録したい人物の撮影データの記録先となる記録媒体を指定することが可能となる。これにより、登録する人物の撮影データを任意の記録媒体に記録することができる。
【００３８】
利用者がユーザインタフェース３１を操作してモニタ２２に表示された複数の記録媒体の１つ、例えば図５に示すように上段の「ブルーレイディスク」を指定すると、メインコントローラ３７は、利用者が顔画像一覧画面Ｇ０２で選択した顔画像の人物データと、利用者が記録媒体指定画面Ｇ０３で指定した記録媒体とを、登録人物データとして内蔵記憶部３５に記憶される登録人物ファイルに書き出す（Ｓ１０５）。このように、例えば複数の異なる角度から撮影された撮影データの顔画像に基づいて、当該顔画像の人物が登録されるので、同一人物か否かを判定する識別精度を向上させることができる。
【００３９】
本実施形態では、記録媒体を１つだけ指定するようにしたが、これに限定されず、例えば第２希望、第３希望のように複数指定させ、第１希望の記録媒体か記録不能の場合に第２希望の記録媒体に記録することができるようにしてもよい。
【００４０】
次に、図６乃至図８を参照して撮影データの記録に係る動作について説明する。
【００４１】
図６及び図７は、記録処理を説明するフローチャートである。利用者によってユーザインタフェース３１が操作され、ユーザインタフェース３１からメインコントローラ３７に記録に係る操作データが入力されると、メインコントローラ３７は、記録中の全ての撮影データを設定記録媒体に記録するとともに、登録された人物の撮影データを指定された記録媒体に記録する記録処理Ｓ２００を実行する。
【００４２】
すなわち、図６に示すように、まず、メインコントローラ３７は顔認識処理回路３４から検出データが入力されたか否かを判定する（Ｓ２０１）。顔認識処理回路３４から検出データが入力された場合に、メインコントローラ３７は、内蔵記録装置３５に記憶された検出人物ファイルから最新の人物データを読み込み、読み込んだ人物データの顔の特徴量に基づいて内蔵記録装置３５に記憶された登録人物ファイルを検索し、当該人物データの人物と同一人物の登録人物データが存在するか否かを判定する（Ｓ２０２）。
【００４３】
同一人物の登録人物データが存在する場合、すなわち前述の登録処理Ｓ１００によってあらかじめ登録された人物が映像データから検出された場合に、メインコントローラ３７は、内蔵記録装置３５に記憶された登録人物ファイルから当該人物の登録人物データを読み込み、当該人物に指定された記憶媒体（以下、指定記録媒体という）に対して準備処理を開始する（Ｓ２０３）。
【００４４】
なお、準備処理の具体的な内容は記録媒体によって異なる。例えば指定記録媒体がブルーレイディスク４３の場合、メインコントローラ３７は記録媒体インターフェース４１にドライブ起動を示す制御データを出力して準備処理を開始し、記録媒体インターフェース４１はブルーレイディスクドライブが起動して記録可能な状態になると、起動完了を示すデータをメインコントローラ３７に出力し、準備処理が完了する。また、例えば指定記録媒体がＳＤカード４４の場合、メインコントローラ３７は記録媒体インターフェース４１にカード有無を確認する確認データを出力して準備処理を開始し、記録媒体インターフェース４１はＳＤカード４４の有無結果を示すデータをメインコントローラ３７に出力し、準備処理が完了する。
【００４５】
Ｓ２０３の処理と同時に、メインコントローラ３７は、メインバッファ３２に蓄積された撮影データのうち、現時点、すなわちあらかじめ登録された人物が検出されたときの所定時間前から現時点までの撮影データをサブバッファ３３にコピーする（Ｓ２０４）。なお、メインコンローラ３７は、メインバッファ３２に蓄積（記憶）される撮影データの位置（アドレス）を管理しており、ポインタなどを使用して任意の位置（アドレス）に蓄積（記憶）された撮影データにアクセスすることができる。
【００４６】
また、Ｓ２０３の処理と同時に、メインコントローラ３７は、記録処理Ｓ１００の開始から現時点、すなわちあらかじめ登録された人物が検出されたときまでに、メインバッファ３２に蓄積された撮影データを、圧縮／伸張処理回路３６を駆動して圧縮し、圧縮された撮影データを、設定記録媒体に、外部記録インターフェース４１を介して記録する（Ｓ２０５）。なお、メインバッファ３２は、撮影データを少ない容量で効率的に蓄積するために、リングバッファとして使用され、設定記録媒体に記録された撮影データの領域は、次に蓄積される撮影データのバッファとして使用可能になる。
【００４７】
本実施形態では、Ｓ２０３〜Ｓ２０５の処理が並列に実行されるように説明したが、これに限定されず、Ｓ２０３〜Ｓ２０５の処理を順次実行するようにしてもよい。なお、かかる場合に各処理間にメインバッファ３２に蓄積される撮影データを設定記録媒体及び指定記録媒体に記録するための処理が必要となる。
【００４８】
次に、メインコントローラ３７は、Ｓ２０３の処理で開始した指定記録媒体に対する準備処理が完了したか否かを判定し（Ｓ２０６）、指定記録媒体に対する記録準備が完了するまでＳ２０６の処理を繰り返す。
【００４９】
指定記録媒体に対する準備処理が完了した場合に、メインコントローラ３７は、サブバッファ３３に蓄積された撮影データと、Ｓ２０４の処理でサブバッファ３３にコピーしてから現時点、すなわち準備処理が完了したことを確認するまでにメインバッファ３２に蓄積された撮影データとを、圧縮／伸張処理回路３６を駆動して圧縮し、圧縮された撮影データを、指定記録媒体に、外部記録インターフェース４１を介して記録する（Ｓ２０７）。これにより、指定記録媒体に、所定の人物が検出された時点の所定時間における撮影データから、一つながりの動画として記録が開始される。
【００５０】
Ｓ２０７の処理と同時に、メインコントローラ３７は、ユーザインタフェース３１から記録終了に係る操作データが入力されたか否かを判定する（Ｓ２０８）。記録終了に係る操作データが入力された場合に、メインコントローラ３７は、Ｓ２０４の処理でサブバッファ３３にコピーしてから現時点、すなわちＳ２０３の処理で開始した指定記録媒体に対する準備処理が完了したことを確認するまでに、メインバッファ３２に蓄積された撮影データを、圧縮／伸張処理回路３６を駆動して圧縮し、圧縮された撮影データを、設定記録媒体に、外部記録インターフェース４１を介して記録し（Ｓ２０９）、メインコントローラ３７は記録処理Ｓ２００を終了する。
【００５１】
本実施形態では、Ｓ２０３〜Ｓ２０５の処理と同様に、Ｓ２０７〜Ｓ２０９の処理が並列に実行されるように説明したが、これに限定されず、Ｓ２０７〜Ｓ２０９の処理を順次実行するようにしてもよい。なお、かかる場合に各処理間にメインバッファ３２に蓄積される撮影データを設定記録媒体及び指定記録媒体に記録するための処理が必要となる。
【００５２】
Ｓ２０８の判定の結果、記録終了に係る操作データが入力されない場合に、メインコントローラ３７は記録処理Ｓ１００を続行する。
【００５３】
すなわち、図７に示すように、メインコントローラ３７は、前回の設定記録媒体への記録後にメインバッファ３２に蓄積された撮影データが所定量に達したか否かを判定し（Ｓ２２１）、メインバッファ３２に蓄積された撮影データが所定量に達するまでＳ２２１の処理を繰り返す。
【００５４】
メインバッファ３２に蓄積された撮影データが所定量に達した場合に、Ｓ２０３の処理と同様に、メインコントローラ３７は指定記憶媒体に対して準備処理を開始する（Ｓ２２２）。
【００５５】
Ｓ２２２の処理と同時に、メインコントローラ３７は、前回の指定記録媒体に対する準備処理が完了したことを確認してから現時点、すなわちメインバッファ３２に蓄積された撮影データが所定量に達するまでに、メインバッファ３２に蓄積された撮影データを、サブバッファ３３にコピーする（Ｓ２２３）。
【００５６】
Ｓ２２２の処理と同時に、メインコントローラ３７は、前回の設定記録媒体への記録後から現時点、すなわちメインバッファ３２に蓄積された撮影データが所定量に達するまでに、メインバッファ３２に蓄積された撮影データを、圧縮／伸張処理回路３６を駆動して圧縮し、圧縮された撮影データを、設定記憶媒体に、外部記録インターフェース４１を介して記録する（Ｓ２２４）。
【００５７】
本実施形態では、Ｓ２０３〜Ｓ２０５の処理と同様に、Ｓ２２２〜Ｓ２２４の処理が並列に実行されるように説明したが、これに限定されず、Ｓ２２２〜Ｓ２２４の処理を順次実行するようにしてもよい。なお、かかる場合に各処理間にメインバッファ３２に蓄積される撮影データを設定記録媒体及び指定記録媒体に記録するための処理が必要となる。
【００５８】
次に、Ｓ２０６の処理と同様に、メインコントローラ３７は、Ｓ２２２の処理で開始した指定記録媒体に対する準備処理が完了したか否かを判定し（Ｓ２２５）、記録媒体に対する記録準備が完了するまでＳ２２５の処理を繰り返す。
【００５９】
指定記録媒体に対する記録準備が完了した場合に、メインコントローラ３７は、サブバッファ３３に蓄積された撮影データと、Ｓ２２３の処理でサブバッファ３３にコピーしてから現時点、すなわち指定記録媒体に対する準備処理が完了したことを確認するまでにメインバッファ３２に蓄積された撮影データとを、圧縮／伸張処理回路３６を駆動して圧縮し、圧縮された撮影データを、指定記録媒体に、外部記録インターフェース４１を介して記録する（Ｓ２２６）。
【００６０】
Ｓ２２６の処理と同時に、メインコントローラ３７は、自己のタイマ（図示せず）に基づいて、所定の人物が検出されたときから経過した時間が閾値を超えたか否かを判定する（Ｓ２２７）。なお、閾値には、人物を撮影するときの動画の区切りとして適切な時間、例えば４０秒が設定される。
【００６１】
所定の人物が検出されたときから経過した時間が閾値を超えた場合に、メインコントローラ３７は、Ｓ２２３の処理でサブバッファ３３にコピーしてから現時点、すなわちＳ２２２の処理で開始した指定記録媒体に対する準備処理が完了したことを確認するまでに、メインバッファ３２に蓄積された撮影データを、圧縮／伸張処理回路３６を駆動して圧縮し、圧縮された撮影データを、設定記録媒体に、外部記録インターフェース４１を介して記録する（Ｓ２２８）。
【００６２】
Ｓ２２８の処理と同時に、メインコントローラ３７は、Ｓ２０８の処理と同様に、ユーザインタフェース３１から記録終了に係る操作データが入力されたか否かを判定（Ｓ２２９）する。記録終了に係る操作データが入力された場合に、メインコントローラ３７は記録処理Ｓ２００を終了する。
【００６３】
本実施形態では、Ｓ２０３〜Ｓ２０５の処理と同様に、Ｓ２２６〜Ｓ２２９の処理が並列に実行されるように説明したが、これに限定されず、Ｓ２２６〜Ｓ２２９の処理を順次実行するようにしてもよい。なお、かかる場合に各処理間にメインバッファ３２に蓄積される撮影データを設定記録媒体及び指定記録媒体に記録するための処理が必要となる。
【００６４】
Ｓ２２７の判定の結果、所定の人物が検出されたときから経過した時間が閾値を超えない場合に、メインコントローラ３７は、Ｓ２２１の処理に戻り、経過した時間が閾値を超えるまでＳ２２１〜Ｓ２２７の処理を繰り返す。
【００６５】
Ｓ２２９の判定の結果、記録終了に係る操作データが入力されない場合に、メインコントローラ３７は、当該人物の動画を指定記録媒体に記録する処理を一旦終了し、Ｓ２０１の処理に戻る。このように、所定の人物が検出されたときから経過した時間に基づいて、動画の記録が終了するので、撮影データに当該人物が含まれるか否かに影響されずに動画を記録し続け、動画の区切りとして適した経過時間に終了することができる。
【００６６】
本実施形態では、所定の人物が検出されたときから経過した時間が閾値を超えた場合に、メインコントローラ３７が当該人物の動画を指定記録媒体に記録する処理を終了しているが、これに限定されず、例えば音声データにおける抑揚情報や音量、人の声の有無などに基づいて、メインコントローラ３７が当該人物の動画を指定記録媒体に記録する処理を終了してもよいし、経過時間及び音声データの両方に基づいて終了するようにしてもよい。このように、映像データとともに集音された音声データに基づいて、動画の記録が終了するので、撮影データに当該人物が含まれるか否かに影響されずに動画を記録し続け、動画の区切りとして適した状況のときに終了することができる。
【００６７】
Ｓ２０１の判定の結果、顔認識処理回路３４から検出データが入力されない場合、及び、Ｓ２０２の判定の結果、同一人物の登録人物データが存在しない場合に、メインコントローラ３７は撮影データを設定記録媒体にのみ記録する。
【００６８】
すなわち、図６に示すように、Ｓ２２１の処理と同様に、メインコントローラ３７は、前回の設定記録媒体への記録後にメインバッファ３２に蓄積された撮影データが所定量に達したか否かを判定し（Ｓ２４１）、メインバッファ３２に蓄積された撮影データが所定量に達するまでＳ２４１の処理を繰り返す。
【００６９】
メインバッファ３２に蓄積された撮影データが所定量に達した場合に、Ｓ２２４の処理と同様に、メインコントローラ３７は、前回の設定記録媒体への記録後から現時点、すなわち前回の設定記録媒体への記録後にメインバッファ３２に蓄積された撮影データが所定量に達するまでに、メインバッファ３２に蓄積された撮影データを、圧縮／伸張処理回路３６を駆動して圧縮し、圧縮された撮影データを、設定記憶媒体に、外部記録インターフェース４１を介して記録する（Ｓ２４２）。
【００７０】
次に、メインコントローラ３７は、Ｓ２０８と同様に、ユーザインタフェース３１から記録終了に係る操作データが入力されたか否かを判定し（Ｓ２４３）、記録終了に係る操作データが入力された場合に、メインコントローラ３７は記録処理Ｓ２００を終了する。
【００７１】
Ｓ２４３の判定の結果、記録終了に係る操作データが入力されない場合に、メインコントローラ３７はＳ２０１の処理に戻る。
【００７２】
次に、前述の記録処理Ｓ２００において、記録媒体に記録される撮影データを具体的に説明する。
【００７３】
図８は、記録媒体に記録される撮影データを説明する概念図である。以下の説明では、設定記録媒体としてハードディスク４２が設定され、前述の登録処理Ｓ１００において所定の人物としてＸさんを登録し、指定記録媒体としてブルーレイディスク４３が指定されたものとする。なお、メインバッファ３２及びサブバッファ３３の容量は、蓄積される撮影データに対して少なく、前述のように、メインバッファ３２はリングバッファとして使用されるが、図８は概念図であるため、メインバッファ３２及びサブバッファ３３の容量は十分多いものとして表す。
【００７４】
メインコントローラ３７が図６及び図７に示した記録処理Ｓ２００を実行すると、メインバッファ３２に撮影データが蓄積される。なお、記録の有無にかかわらず、撮影部１０が出力する撮影データは、メインバッファ３２に蓄積され、顔認識処理回路３４に入力されるが、ここでの説明では、記録処理Ｓ２００の開始前にメインバッファ３２に蓄積される撮影データは無視する。
【００７５】
図８に示すように、Ｓ２０２の判定の結果、Ｘさんが映像データから検出された場合に、Ｓ２０４の処理で、メインコントローラ３７は、メインバッファ３２に蓄積された、Ｘさんが検出されたときの所定時間前、例えば１０秒前からＸさんが検出されたときまでの撮影データ、すなわちデータＤ１１をサブバッファ３３にコピーする。なお、かかる場合の所定時間は、Ｘさんが検出されたときからブルーレイディスク４３に撮影データを記録可能になるまでの時間以上の時間を設定するのが好ましい。これにより、ブルーレイディスク４３に記録可能になるまで待っている間に、メインバッファ３２に蓄積されたデータＤ１１が上書きされる場合でも、サブバッファ３３に待避しているのでデータＤ１１が消失するのを防止することができる。
【００７６】
Ｓ２０５の処理で、メインコントローラ３７は、メインバッファ３２に蓄積された、記録処理の開始からＸさんが検出されたときまでの撮影データを、圧縮してハードディスク４２に記録する。
【００７７】
ここで、記録処理の開始から１０秒経過後にＸさんが検出された場合に、ハードディスク４２にはデータＤ１１と、記録処理の開始からデータＤ１１までの撮影データ、すなわちデータＤ１０とが記録され、記録開始から１０秒経過以前にＸさんが検出された場合に、ハードディスク４２にはデータＤ１１が記録される。図８は、ハードディスク４２にデータＤ１０及びデータＤ１１が記録された場合を示す。
【００７８】
Ｓ２０６の判定の結果、ブルーレイディスク４３に対する準備処理が完了した場合に、Ｓ２０７の処理で、メインコントローラ３７は、サブバッファ３３に蓄積されたデータＤ１１と、メインバッファ３２に蓄積された、Ｓ２０４でサブバッファ３３にコピーしてから準備処理が完了したことを確認するまでの撮影データ、すなわちデータＤ１２とを、圧縮してブルーレイディスク４３に記録する。このように、Ｘさんが検出された時点の所定時間前におけるデータＤ１１から、一つながりの動画として記録が開始されるので、従来のように編集作業を行うことなく、Ｘさんが映る前の映像から一つながりの動画として記録することができる。また、指定記録媒体としてブルーレイディスク４３に記録されるので、従来のように複製作業を行うことなく、全ての撮影データが記録されるハードディスク４２とは異なるブルーレイディスク４３に、Ｘさんが含まれる映像を記録することができる。
【００７９】
なお、ブルーレイディスク４３に撮影データを記録するブルーレイディスクドライブは、記録完了後に停止される。これにより、ビデオカメラ１の消費電力を低減することのできる間欠記録が可能となる。
【００８０】
Ｓ２０８の判定の結果、記録終了に係る操作データが入力された場合に、Ｓ２０９の処理で、メインコントローラ３７は、メインバッファ３２に蓄積されたデータＤ１２を圧縮してハードディスク４２に記録し、メインコントローラ３７は記録処理Ｓ２００を終了する。このように、Ｓ２０６の処理でブルーレイディスク４３に記録可能になるまで待っている間にメインバッファ３２に蓄積され、Ｓ２０７の処理でブルーレイディスク４３に記録されたデータＤ１２が、ハードディスク４３にも記録されるので、設定記録媒体に記録される撮影データと指定記録媒体に記録される撮影データとのずれを、記録処理Ｓ２００が終了するときに解消し、設定記録媒体に撮影データが欠けるのを防止することができる。
【００８１】
記録終了に係る操作データが入力されない場合に、メインコントローラ３７は記録処理を続行し、Ｓ２２１の判定の結果、前回のハードディスク４２への記録後にメインバッファ３２に蓄積された撮影データが所定量に達した場合に、Ｓ２２３の処理で、メインコントローラ３７は、メインバッファ３２に蓄積された、前回のブルーレイディスク４３に対する準備処理が完了したことを確認してから蓄積された撮影データが所定量に達するまでの撮影データ、すなわちデータＤ１３をサブバッファ３３にコピーする。
【００８２】
Ｓ２２４の処理で、メインコントローラ３７は、メインバッファ３２に蓄積された、前回のハードディスク４２への記録後から蓄積された撮影データが所定量に達するまでの撮影データ、すなわちデータＤ１２及びデータＤ１３を圧縮してハードディスク４２に記録する。
【００８３】
Ｓ２２５の判定の結果、ブルーレイディスク４３に対する準備処理が完了した場合に、Ｓ２２６の処理で、メインコントローラ３７は、サブバッファ３３に蓄積されたデータＤ１３と、メインバッファ３２に蓄積された、Ｓ２２３の処理でサブバッファ３３にコピーしてから準備処理が完了したことを確認するまでの撮影データ、すなわちデータＤ１４とを、圧縮してブルーレイディスク４３に記録する。
【００８４】
Ｓ２２７の判定の結果、Ｘさんが検出されたときから経過した時間が閾値を超えない場合に、メインコントローラ３７は、Ｓ２２１の処理に戻り、Ｓ２２１〜Ｓ２２７の処理で、データＤ１４及びデータＤ１３をハードディスク４２に記録するとともに、データＤ１３及びデータＤ１４をブルーレイディスク４３に記録し、メインコントローラ３７はＸさんが検出されたときから経過した時間が閾値を超えるまで繰り返す。
【００８５】
Ｘさんが検出されたときから経過した時間が閾値を超えた場合に、Ｓ２２８の処理で、メインコントローラ３７は、メインバッファ３２に蓄積されたデータＤ１４を圧縮してハードディスク４２に記録し、メインコントローラ３７は、Ｘさんの動画をブルーレイディスク４３に記録する処理を一旦終了する。このように、Ｓ２２５の処理でブルーレイディスク４３に記録可能になるまで待っている間にメインバッファ３２に蓄積され、Ｓ２２６の処理でブルーレイディスク４３に記録されたデータＤ１４が、ハードディスク４３にも記録されるので、設定記録媒体に記録される撮影データと指定記録媒体に記録される撮影データとのずれを指定記録媒体への記録を一旦終了するときに解消し、設定記録媒体に撮影データが欠けるのを防止することができる。
【００８６】
このように、本発明によれば、Ｘさんが検出された時点の所定時間前におけるデータＤ１１から、一つながりの動画として記録が開始されるので、従来のように編集作業を行うことなく、Ｘさんが映る前の映像から一つながりの動画として記録することができる。これにより、いきなり人物が映る映像から記録されたり、不連続な映像が記録されたりせずに、人物が映る映像として従来よりも自然な映像を記録することができる。また、指定記録媒体としてブルーレイディスク４３に記録されるので、従来のように複製作業を行うことなく、全ての撮影データが記録されるハードディスク４２とは異なるブルーレイディスク４３に、Ｘさんが含まれる映像を記録することができる。これにより、所定の人物が映る映像を記録した記録媒体を、撮影後すぐに作成することができ、すぐに譲渡することができるなど、利便性を高めることできる。
【００８７】
また、所定の人物が検出されたときから経過した時間に基づいて、動画の記録が終了するので、撮影データに当該人物が含まれるか否かに影響されずに動画を記録し続け、動画の区切りとして適した経過時間に終了することができる。これにより、例えば人物がフレームインとフレームアウトを繰り返すときに不連続な映像が記録されることなく、人物が映る映像として区切りのよい映像を記録することができる。
【００８８】
また、映像データとともに集音された音声データに基づいて、動画の記録が終了するので、撮影データに当該人物が含まれるか否かに影響されずに動画を記録し続け、動画の区切りとして適した状況のときに終了することができる。これにより、例えば人物の声が集音されなくなったときに動画の記録を終了することができ、人物が映る映像として区切りのよい映像を記録することができる。
【００８９】
また、Ｘさんが検出された時点から遡る所定時間として、Ｘさんが検出されたときからブルーレイディスク４３に撮影データを記録可能になるまでの時間以上の時間が設定されるので、ブルーレイディスク４３に記録可能になるまで待っている間に、メインバッファ３２に蓄積されたデータＤ１１が上書きされる場合でも、サブバッファ３３に待避しているのでデータＤ１１が消失するのを防止することができる。
【００９０】
また、記録可能な複数の記録媒体の中から登録する人物の撮影データを記録する記録媒体が指定されるので、所定の人物の撮影データを任意の記録媒体に記録することができる。これにより、譲渡する相手に合わせて記録媒体を指定することができ、更に利便性を高めることできる。
【００９１】
また、例えば複数の異なる角度から撮影された撮影データの顔画像に基づいて、当該顔画像の人物が登録されるので、同一人物か否かを判定する識別精度を向上させることができる。
【００９２】
なお、本発明の構成は、前述の実施形態にのみ限定されるものではなく、本発明の要旨を逸脱しない範囲内において種々変更を加えてもよい。
【図面の簡単な説明】
【００９３】
【図１】本発明に係るビデオカメラの全体構成を説明するブロック図である。
【図２】登録処理を説明するフローチャートである。
【図３】検出人物一覧画面を説明するイメージ図である。
【図４】顔画像一覧画面を説明するイメージ図である。
【図５】記録媒体指定画面を説明するイメージ図である。
【図６】記録処理を説明するフローチャートである。
【図７】記録処理を説明するフローチャートである。
【図８】記録媒体に記録される撮影データを説明する概念図である。
【符号の説明】
【００９４】
１…ビデオカメラ、３４…顔認識処理回路、３７…メインコントローラ、４２…ハードディスク、４３…ブルーレイディスク、４４…ＳＤカード、Ａ…ストレージ装置。
【図１】
2010021607.tif 000003
【図２】
2010021607.tif 000004
【図３】
2010021607.tif 000005
【図４】
2010021607.tif 000006
【図５】
2010021607.tif 000007
【図６】
2010021607.tif 000008
【図７】
2010021607.tif 000009
【図８】
2010021607.tif 000010